(57)【要約】【課題】従来ある自立可能な物品も、袋体のような自立の困難な薄型の物品も安定して保持するとともに、不使用時には邪魔にならない仕切り部材を備えた冷却庫を提供する。【解決手段】収納領域４を仕切る複数個の仕切り部材５２（５２１、５２２）と、仕切り部材５２（５２１、５２２）を回転可能の支持する支持部材５１とを有し、仕切り部材５２１が、収納領域４の周辺部に沿って並んで配置されており、収納領域４を分割する仕切り位置Ｐ１と、収納領域４の周辺部に沿った待機位置Ｐ２との間を回転移動する冷却庫Ａ。【選択図】図７
2013079764.tif 000002
【特許請求の範囲】
【請求項１】
内部に収納領域を備えた収納室と、
前記収納領域を仕切る複数個の仕切り部材と、
前記複数個の仕切り部材を回転可能に支持する支持部材とを有し、
前記複数個の仕切り部材は、前記収納領域を分割する仕切り位置と、前記収納領域の外周に沿った待機位置との間を回転移動することを特徴とする冷却庫。
【請求項２】
前記仕切り部材が、前記仕切り位置又は前記待機位置にあるとき、それぞれの位置で前記仕切り部材の移動を規制する移動規制手段を備えている請求項１に記載の冷却庫。
【請求項３】
前記仕切り部材は、前記支持部材に回転の中心軸に沿って摺動可能に支持されており、
前記移動規制手段は、前記仕切り部材の自重による下方への移動によって、前記仕切り部材と係合する構成である請求項２に記載の冷却庫。
【請求項４】
前記仕切り部材は上下に回転軸を備えており、
前記支持部材は、前記上下の回転軸がそれぞれ回転可能且つ軸方向に摺動可能なように貫通する貫通孔を備えた支持部を上下に備えている請求項３に記載の冷却庫。
【請求項５】
前記支持部材が、前記収納領域の外周に沿って摺動可能である請求項１から請求項４のいずれかに記載の冷却庫。
【請求項６】
前記仕切り部材が板状の部材である請求項１から請求項５のいずれかに記載の冷却庫。
【請求項７】
前記収納領域が、収納室の扉の内側に配置されたドアポケットである請求項１から請求項６のいずれかに記載の冷却庫。
【請求項８】
前記支持部材は前記収納領域に着脱可能に取り付けられている請求項１から請求項７のいずれかに記載の冷却庫。
【発明の詳細な説明】
【技術分野】
【０００１】
本発明は、収納性の高い収納部を扉の内側に備えた冷却庫に関するものである。
【背景技術】
【０００２】
冷却庫には、左右いずれかの端部にヒンジを有し、前記ヒンジ周りに回転することで開閉されるドア（以下の説明ではヒンジドアと称する場合がある）が配置されている。前記ヒンジドアの内側には上面が開いた箱状の物入れ（ドアポケット）が備えられており、前記ドアポケットには、缶入り、ビン入りの飲料や調味料等、長尺の物品を縦長の状態で（立てて）水平方向に並べて収納することを目的としている場合が多い。
【０００３】
前記ドアポケットに前記長尺の物品を立てて収納し、この状態で前記ヒンジドアの開閉を行うと、ドア開閉時の回転動作によって前記物品ががたついたり、前記物品が転倒したりしやすい。このような、移動や転倒を抑制するため、例えば、特開平０６−３０４１号公報には、前記ドアポケットに摺動可能なスタンド構体（仕切り機構）を備えた冷却庫が提案されている。前記仕切り機構は、前記ドアを開いたとき、前記ドアポケットの手前側の側壁に取り付けられており、水平方向に摺動可能となっている。
【０００４】
前記仕切り機構は、摺動させることで前記ドアポケットの水平方向の幅を任意に変更することが可能である。すなわち、前記仕切り機構は前記ドアポケットの側壁との幅を収納する物品の大きさに合わせて調整可能であり、前記物品をその大きさに合わせて保持することができる。これにより、ドア開閉時の慣性力で前記物品ががたついたり、転倒したりするのを抑制し、しっかり保持することができる。
【先行技術文献】
【特許文献】
【０００５】
【特許文献１】特開平０６−３０４１号公報
【発明の概要】
【発明が解決しようとする課題】
【０００６】
しかしながら、特開平０６−３０４１号公報に示すような、従来の仕切り機構が備えられた前記ドアポケットに横長の物品を収納するとき、仕切り機構が邪魔になる場合がある。前記仕切り機構として着脱可能に形成されているものもあり、その場合、前記仕切り機構を取り外すことで、邪魔ではなくなるが、取り外した仕切り機構を保管する場所が必要となる。また、取り外した仕切り機構を紛失しやすい。
【０００７】
また、上述の従来の仕切り部材は、ある程度の幅がある、自立可能な物品の保持を目的としており、調味料やふりかけ等の紛体（粉末）の物品が収納される袋体のような、自立が困難な薄型の物品を立てた状態でしっかり保持することが難しい。
【０００８】
そこで本発明は、従来ある自立可能な物品も、袋体のような自立の困難な薄型の物品も安定して保持するとともに、不使用時には邪魔にならない仕切り部材を備えた冷却庫を提供することを目的とする。
【課題を解決するための手段】
【０００９】
上記目的を達成するために本発明は、内部に収納領域を備えた収納室と、前記収納領域を仕切る複数個の仕切り部材と、前記複数個の仕切り部材を回転可能に支持する支持部材とを有し、前記複数個の仕切り部材は、前記収納領域を分割する仕切り位置と、前記収納領域の周辺部に沿った待機位置との間を回転移動することを特徴とする冷却庫を提供する。
【００１０】
この構成によると、仕切りが必要なとき、前記仕切り部材を仕切り位置に移動し、収納領域を仕切ることができる。また、仕切りが不要なときには、待機位置に移動させ収納することができる。すなわち、収納領域に収納する物品にあわせて、収納領域を容易に仕切ることができ、しかも、仕切りが不要なときは邪魔にならないように収納することができる。これにより、前記収納領域を有効に利用することが可能である。
【００１１】
また、複数個の仕切り部材を同時に前記仕切り位置に移動させ、収納領域を狭い幅の領域に仕切ることができる。このように、狭い幅の領域を形成することで、例えば、調味料やふりかけ等、縦型に自立が不可能（あるいは困難）な袋状の物品であっても立てた状態で、並べて保持することができる。これにより、自立が困難な袋状の物品でも、一度開封した後、内容物がこぼれないように保持することが可能である。また、従来のように、横向けで上下に並べて配置しないので、保持されている物品の目視による認識が容易である。
【００１２】
上記構成において、  前記仕切り部材が、前記仕切り位置又は前記待機位置にあるとき、それぞれの位置で前記仕切り部材の移動を規制する移動規制手段を備えていてもよい。この構成によると、扉の開閉や物品の収納／取り出し等で、冷却庫が動いたり振動したりしても、前記仕切り部材がずれたり、移動したりしないので、安定して物品を保持することが可能である。
【００１３】
上記構成において、前記仕切り部材は、前記支持部材に回転の中心軸に沿って摺動可能に支持されており、前記移動規制手段が、前記仕切り部材の自重による下方への移動によって、前記仕切り部材と係合する構成であってもよい。この構成によると、前記仕切り部材は、持ち上げられた時に前記仕切り位置と前記待機位置との間で移動可能で、それ以外は、自重によって移動規制手段で移動を規制される。これにより、前記仕切り部材の前記仕切り位置及び前記待機位置での保持が容易であるとともに、両位置への移動が容易である。
【００１４】
上記構成において、前記仕切り部材は上下に回転軸を備えており、前記支持部材は、前記上下の回転軸がそれぞれ回転可能且つ軸方向に摺動可能なように貫通する貫通孔を備えた支持部を上下に備えていてもよい。この構成によると、前記仕切り部材は上下を支持されるので、回転及び軸方向への摺動を行うとき、軸がぶれにくく、仕切り位置と待機位置との間を安定して移動することができる。
【００１５】
上記構成において、前記支持部材が、前記周辺部に沿って摺動可能であってもよい。この構成によると、前記仕切り部材によって仕切られる前記収納領域の大きさを任意に変更することができるので、前記収納領域に収納される物品の大きさにかかわらず、前記収納領域に収納される物品を押えることができ、扉の開閉や物品の収納／取り出し等で発生する振動や衝撃で収納領域に収納される物品の移動やがたつきを抑制することができる。
【００１６】
上記構成において、前記仕切り部材が板状の部材であってもよい。板状の部材として、例えば正方形あるいは長方形等の矩形状、その他の多角形状、半円状等収納領域を適切に仕切ることが可能な形状を有するものを広く採用することができる。板状の部材であることで、収納領域に収納する物品を大きな面で押さえることができ、それだけ、物品を安定して保持することが可能である。また、仕切り部材として、板状の部材以外にも、一部にスリットを備えた柵状、上述のような形状の枠にネットを取り付けた形状等、物品を押さえることができる形状を広く採用することが可能である。
【００１７】
上記構成において、前記収納領域として、収納室の扉の内側に配置されたドアポケットを挙げることができる。
【００１８】
上記構成において、前記支持部材は前記収納領域の前記周辺部に着脱可能に取り付けられていてもよい。
【発明の効果】
【００１９】
本発明によると、従来ある自立可能な物品も、袋状の物品のような自立の困難な薄型の物品も安定して保持するとともに、不使用時には邪魔にならない仕切り部材を備えた冷却庫を提供することができる。
【図面の簡単な説明】
【００２０】
【図１】本発明にかかる冷却庫の概略図である。
【図２】図１に示す冷却庫の冷蔵室ドアの内面の図である。
【図３】図２に示す冷蔵室ドアの側面図である。
【図４】図２に示されるドアポケットの端部を拡大した平面図である。
【図５】図４のドアポケットの拡大断面図である。である。
【図６】本発明にかかる冷却庫に備えられたユーティリティースタンドでドアポケットを仕切っている状態の斜視図である。
【図７】図６に示すユーティリティースタンドを収納した状態の斜視図である。
【図８Ａ】第１仕切り板及び第２仕切り板が仕切り位置にあるときの正面図である。
【図８Ｂ】第１仕切り板及び第２仕切り板が持ち上げられた状態の正面図である。
【図８Ｃ】第１仕切り板及び第２仕切り板が持ち上げられた状態の断面図である。
【図８Ｄ】第１仕切り板及び第２仕切り板が仕切り位置から待機位置に移動している状態の断面図である。
【図８Ｅ】第１仕切り板及び第２仕切り板が待機位置に移動したときの正面図である。
【図８Ｆ】第１仕切り板及び第２仕切り板が待機位置で保持された状態の正面図である。
【図９】図６に示すユーティリティースタンドの異なる使用状態を示す斜視図である。
【発明を実施するための形態】
【００２１】
以下に本発明の実施形態について図面を参照して説明する。図１は本発明にかかる冷却庫の概略図である。冷却庫Ａは、発泡ウレタン等の断熱材を壁部に充填した断熱箱体である。図１に示すように、冷却庫Ａは、物品を凍結しない程度の低温で保存する冷蔵室１と、物品を凍結した状態で保存する冷凍室２とを備えている。冷蔵室１及び冷凍室２の前面開口を塞ぐように冷蔵室ドア３及び冷凍室ドア２０が配置されている。図示は省略しているが、冷蔵室ドア３及び冷凍室ドア２０は中空であり、内部に発泡ウレタン等の断熱材が充填されている。
【００２２】
図１に示すように、冷蔵室ドア３は、正面視右側がヒンジ３１を介して本体に取り付けられており、ヒンジ３１を中心に回転することで、開閉される。冷凍室ドア２０も同様に、ヒンジ２１を介して本体に取り付けられており、ヒンジ２１を中心に回転し、開閉される。
【００２３】
本発明にかかる冷却庫の要部であるドア内側に配置されたドアポケットについて図面を参照して説明する。図２は図１に示す冷却庫の冷蔵室ドアの内面を正面から見た図であり、図３は図２に示す冷蔵室ドアを側面から見た図である。なお、以下の説明において、冷蔵室ドア３について説明するが、冷凍室ドア２０も同様の構成であってもよく、冷却庫が他の収納室を備えている場合、その収納室の前面に配置されるドアも同様の構成であってもよい。また、以下の説明において、特に記載のない限り、上下左右あるいは縦横と説明する場合、図２の状態を基準とするものとする。
【００２４】
図２、図３に示すように、冷蔵室ドア３の内面には、ビン、缶、ペットボトル等を立てて保管するための収納領域であるドアポケット４（区別が必要な場合、上から、４Ａ、４Ｂ、４Ｃ、４Ｄとする）が上下に４段備えられている。ドアポケット４は、冷蔵室ドア３の内面に着脱可能に取り付けられるものである。
【００２５】
図２、図３に示すように、冷却庫Ａにおいて、４段のドアポケット４のうち、最上段のドアポケット４Ａは他の３つのドアポケット４よりも浅く、すなわち、後述する周壁部４１の高さが低く、最下段のドアポケット４Ｄは他の３つのドアポケット４よりも深く、すなわち、周壁部４１の高さが高くなっている。そのため、最上段及び最下段のドアポケット４Ａ、４Ｄは常にこの位置に取り付けられる。
【００２６】
一方、中間部に配置される２段目のドアポケット４Ｂ、３段目のドアポケット４Ｃは、左右両端部の外部が冷蔵室ドア３の内面より突出し上下に延びた凸条部３２に配置された係合部３３と係合することで冷蔵室ドア３の内面に取り付けられている。そして、係合部３３は、凸条部３２に等間隔で複数個並んで配置されており、２段目のドアポケット４Ｂ及び３段目のドアポケット４Ｃは、任意の係合部３３に取り付けが可能となっている。
【００２７】
また、図２、図３に示すように、２段目のドアポケット４Ｂには、ドアポケット４Ｂの内部空間を区切る（図２において左右方向に区切る）ためのユーティリティースタンド５が備えられている。なお、ユーティリティースタンド５は、２段目のドアポケット４Ｂに備えられているが、これに限定されるものではなく、他のドアポケットに備えられていてもよい。以下の説明において、便宜上、２段目のドアポケット４Ｂをドアポケット４として説明する。
【００２８】
ドアポケットについて新たな図面を参照して説明する。図４は図２に示されるドアポケットの端部を拡大した平面図であり、図５は図４のドアポケットの拡大断面図である。
【００２９】
図３〜５に示すように、長方形板状の底板部４０と、底板部４０の一つの長辺と２つの短辺より立設された周壁部４１と、残りの長辺の近傍より立設され、周壁部４１よりも低いレール部４２とを備えている。なお、ドアポケット４は、樹脂の一体成型体であり、底板部４０、周壁部４１及びレール部４２は一体的に成形されている。
【００３０】
図３〜５に示すように、ユーティリティースタンド５は、後述する支持部材５１の下部でレール部４２に沿って摺動可能に係合している。ユーティリティースタンド５は、レール部４２に沿って摺動することで、ドアポケット４の周壁部４１で囲まれている収納領域を任意の位置で仕切ることができる。
【００３１】
本発明にかかる冷却庫に備えられたユーティリティースタンドについて図面を参照して説明する。図６は本発明にかかる冷却庫に備えられたユーティリティースタンドでドアポケットを仕切っている状態の斜視図であり、図７は図６に示すユーティリティースタンドを収納した状態の斜視図である。
【００３２】
図５、図６、図７に示すように、ユーティリティースタンド５は、支持部材５１と、支持部材５１に回転可能に支持され、ドアポケット４の収納部分を仕切る仕切り部材５２とを備えている。仕切り部材５２は、長方形板状の第１仕切り板５２１と第２仕切り板５２２とを備えており、第１仕切り板５２１及び第２仕切り板５２２は回転軸５３を介して支持部材５１に回転可能に支持されている。
【００３３】
第１仕切り板５２１及び第２仕切り板５２２は、レール部４２と所定の角度（直角）をなす仕切り位置Ｐ１（図６参照）と、仕切り位置Ｐ１から回動軸５３を中心に回転し、レール部４２と平行となる待機位置Ｐ２（図７参照）とに移動可能である。なお、第１仕切り板５２１及び第２仕切り板５２２の待機位置Ｐ２は仕切り位置Ｐ１に対して、同じ方向、すなわち、平面視において反時計回り方向に回転した位置を待機位置としているが、互いに開く方向に回転移動してもよい。また、第１仕切り板５２１及び第２仕切り板５２２が待機位置Ｐ２にあるとき、第１仕切り板５２１及び第２仕切り板５２２は、冷蔵室ドア３の内面に沿って配置されるので、ドアポケット４の収納部分の邪魔になりにくい。
【００３４】
そして、第１仕切り板５２１及び第２仕切り板５２２の下端部には、移動規制手段の一部として、待機位置Ｐ２に移動したとき、後述の係合凸部５４と係合する係合凹部５２３、５２４とをそれぞれ備えている。係合凹部５２３、５２４は、第１仕切り板５２１及び第２仕切り板５２２が待機位置Ｐ２にあるとき、正面側の角部を切り欠くように（図５、図７等参照）形成されている。係合凸部５４と係合凹部５２３、５２４とを係合させることで、第１仕切り板５２１、第２仕切り板５２２が、待機位置Ｐ２から移動するのを抑制することができる。
【００３５】
支持部材５１は、レール部４２に摺動可能に係合され、回動軸５３の仕切り部材５２の下側より突出した部分を支持する支持基部５１１と、回動軸５３の仕切り部材５２の上側より突出した部分を支持する上側支持部材５１２と、支持基部５１１及び上側支持部材５１２とを連結する連結部５１０とを備えている。
【００３６】
支持基部５１１は、上面の平板部に第１仕切り板５２１及び第２仕切り板５２２の下部に配置された回動軸５３が軸方向に摺動可能且つ回転可能に挿入された支持孔５１３と、平面視で支持孔５１３と重なると共に、レール部４２と交差（冷却庫Ａでは直交）する凹溝５５（移動規制手段の一部）と、支持孔５１３からレール部４２と平行な線上に形成された係合凸部５４とを備えている。また、支持基部５１１は、レール部４２と摺動可能に係合する摺動係合部５６を備えている。
【００３７】
凹溝５５の底部の一方の端部近傍に支持孔５１３があり、他方の端部は支持基部５１１の上面の平板部の辺縁部に到達している。凹溝５５は第１仕切り板５２１及び第２仕切り板５２２が仕切り位置Ｐ１にあるとき、第１仕切り板５２１及び第２仕切り板５２２の下端部が係合するために、上部が開口した溝である。
【００３８】
つまり、第１仕切り板５２１及び第２仕切り板５２２が仕切り位置Ｐ１にあるとき、第１仕切り板５２１及び第２仕切り板５２２は自重で凹溝５５に嵌る。これにより、第１仕切り板５２１及び第２仕切り板５２２は、使用者によって持ち上げられない限り、仕切り位置Ｐ１に保持される（移動が規制される）。また、図４、図６に示すように、第１仕切り板５２１及び第２仕切り板５２２がそれぞれ対応する凹溝５５に嵌合されたとき、すなわち、仕切り位置Ｐ１にあるとき、第１仕切り板５２１と第２仕切り板５２２との距離が距離Ｗ１になる。
【００３９】
この、距離Ｗ１は図４、図６に示しているように、袋状の物品Ｐｏを縦型に保持できる幅である（図４、図６では、２個保持されている）。図４、図６において、距離Ｗ１は袋状の物品Ｐｏを２個並べて保持できる幅であるが、１個を縦向きに保持できる幅であってもよく、３個以上の袋状の物品Ｐｏを並べて保持できる幅であってもよい。また、袋状以外にも、薄型で自立が不可能あるいは困難な物品を保持するのにも利用することが可能である。これにより、袋等の自立が不可能あるいは困難な薄型の物品でも、一度開封した後、内容物がこぼれないように保持することが可能である。また、従来のように、横向けで上下に並べて配置しないので、使用者は保持されている物品の目視による認識が容易である。
【００４０】
係合凸部５４は、第１仕切り板５２１及び第２仕切り板５２２が待機位置Ｐ２に移動したとき、係合凹部５２３、５２４の内部に嵌る位置に形成されている。つまり、第１仕切り部材５２１及び第２仕切り部材５２２は、待機位置Ｐ２に移動し、自重により下方に移動することで、係合凹部５２３、５２４と係合凸部５４とが係合し待機位置Ｐ２に保持される（移動が規制される）。また、摺動係合部５６は、下方に開いた凹部であり、レール部４２と係合する構成を有している。
【００４１】
上側支持部５１２は、支持基部５１１の上方に配置された板状の部材であり、第１仕切り板５２１及び第２仕切り板５２２の上端部に配置された回転軸５３が軸方向に摺動可能且つ回転可能に挿入される上部支持孔５１４を備えている。上部支持孔５１４は支持基部５１１に備えられている支持孔５１３と上下方向に重なる位置に配置されている。
【００４２】
支持孔５１３及び上部支持孔５１４は、第１仕切り板５２１の回転軸５３が挿入される方が、第２仕切り板５２２の回転軸５３が挿入されるものよりも、手前になるように形成されている。これにより、第１仕切り板５２１及び第２仕切り板５２２を平面視反時計回りに回転して仕切り位置Ｐ１から待機位置Ｐ２に移動するとき、第２仕切り板５２２を第１仕切り板５２１の移動の邪魔にならない位置に配置できる。
【００４３】
なお、この支持孔５１３及び上側支持孔５１４の位置は、第１仕切り板５２１及び第２仕切り板５２２を仕切り位置Ｐ１から待機位置Ｐ２に移動するときの方向によって決まるものであり、待機位置に移動したとき手前側の仕切り板（ユーティリティースタンド５では、第１仕切り板５２１）より突出する回転軸５３が挿入される方の支持孔５１３及び上側支持孔５１４が手前に形成されている。また、支持孔５１３及び上側支持孔５１４とは、第１仕切り板５２１及び第２仕切り板５２２が仕切り位置Ｐ１にあるとき、第１仕切り板５２１と第２仕切り板５２２との間が幅Ｗ１となるように形成されている。また、第１仕切り板５２１と第２仕切り板５２２とが待機位置Ｐ２に移動したとき、第１仕切り板５２１及び第２仕切り板５２２が互いに接触しない程度の隙間を持つように、ずれて形成されている。
【００４４】
また、ユーティリティースタンド５では、第１仕切り板５２１及び第２仕切り板５２２は、回転軸５３の軸方向に移動することで、下端部が凹溝５５から離れるように構成されている。そのため、支持基部５１１と上側支持部５１２の間の距離は、第１仕切り板５２１及び第２仕切り板５２２の縦方向の幅よりも長く形成される。さらに、第１仕切り板５２１及び第２仕切り板５２２の下端部が、係合凸部５４の上を越えることができる長さ以上である。そして、支持基部５１１と上側支持部５１２の間の距離は、第１仕切り板５２１及び第２仕切り板５２２を回転軸５３の軸方向に摺動させたとき、回転軸５３が支持孔５１３、５１４から抜けない長さよりも短い構成となっている。
【００４５】
支持基部５１１と上側支持部５１２との距離が上述の長さより狭くなったり、広くなったりすると、第１仕切り板５２１及び（又は）第２仕切り板５２２を移動させにくくなったり、移動できなくなったりする。そのため、連結部５１０がたわんだり、ねじれたりするのを抑制するため、冷却庫Ａでは、連結部５１０は断面Ｔ字状（図５等参照）の柱部材となっている。つまり、連結部５１０は、支持基部５１１と上側支持部５１２とを連結するとともに、上側支持部５１２を支持基部５１１から一定の長さを保持するための支柱としても利用されている。
【００４６】
なお、連結部５１０の突出部分（支持基部５１１と上側支持部５１２の中央部分と連結する部分）は第１仕切り板５２１の隣に形成されているが、第１仕切り板５２１及び第２仕切り板５２２の回転方向によって異なる。すなわち、回転方向が互いに開く方向の場合、連結部５１０の突出部分は第１仕切り板５２１と第２仕切り板５２２との間に配置される。
【００４７】
次にユーティリティースタンド５の動作について説明する。図８Ａ〜図８Ｆは第１仕切り板及び第２仕切り板を仕切り位置から待機位置に移動する手順を示す図である。図８Ａに示すように、ユーティリティースタンド５では、第１仕切り板５２１及び第２仕切り板５２２を仕切り位置Ｐ１に配置したとき、第１仕切り板５２１及び第２仕切り板５２２との間の部分で、自立が困難な袋状の物品Ｐｏを立てた状態で（縦に）保持できる構成になる。
【００４８】
図８Ｂに示すように、仕切り位置Ｐ１にある第１仕切り板５２１及び第２仕切り板５２２を、回転軸５３の軸方向上方に移動させる（持ち上げる）。これにより、第１仕切り板５２１及び第２仕切り板５２２の下端部が凹溝５５の外部に移動する。図８Ｂに示すように、第１仕切り板５２１及び第２仕切り板５２２を上端部が上側支持部５１２と接触する位置まで引き上げることで、第１仕切り板５２１及び第２仕切り板５２２の下端部は係合凸部５４の上面よりも上側に移動する。これにより、第１仕切り板５２１及び第２仕切り板５２２が回転軸５３を中心に回転した場合でも、第１仕切り板５２１及び第２仕切り板５２２と係合凸部５４との接触が避けられる。
【００４９】
図８Ｃに示すように、凹溝５５から持ち上げた状態で、第１仕切り板５２１及び第２仕切り板５２２を回転軸５３中心に平面視において反時計回りに回転させる（図８Ｄ参照）。第１仕切り板５２１及び第２仕切り板５２２はさらに回転（仕切り位置Ｐ１から約９０°）することで、待機位置Ｐ２まで移動する。
【００５０】
第１仕切り板５２１及び第２仕切り板５２２は、持ち上げた状態で回転することで、下端部が係合凸部５４を超えることができる。図８Ｅに示しているように、第１仕切り板５２１及び第２仕切り板５２２が、待機位置Ｐ２に移動すると、それぞれの係合凹部５２３、５２４が対応する係合凸部５４と上下方向に重なる。
【００５１】
最後に、第１仕切り板５２１及び第２仕切り板５２２を下方に移動させることで、第１仕切り板５２１及び第２仕切り板５２２の係合凹部５２３、５２４が係合凸部５４と係合し、第１仕切り板５２１及び第２仕切り板５２２は待機位置Ｐ２で保持される（図８Ｆ参照）。
【００５２】
また、逆の手順で仕切り部材５２（第１仕切り板５２１及び（又は）第２仕切り板５２２）を回転移動することで、仕切り部材５２を待機位置Ｐ２から仕切り位置Ｐ１に移動することが可能である。以上のことから、仕切り部材５２（第１仕切り板５２１及び（又は）第２仕切り板５２２）は仕切り位置Ｐ１又は待機位置Ｐ２で支持部材５１に保持されるとともに、仕切り位置Ｐ１と待機位置Ｐ２との間を容易に移動することが可能な構成となっている。
【００５３】
これにより、袋状の物品Ｐｏを収納するときは、第１仕切り板５２１及び第２仕切り板５２２を仕切り位置Ｐ１に移動して、袋状の物品Ｐｏを立てた状態で保持することができ、袋状の物品の収納が不要な場合、第１仕切り板５２１及び第２仕切り板５２２を待機位置Ｐ２に移動させることで、ドアポケット４の収納部分の仕切りを取り除き、仕切りが邪魔にならない位置に移動するので、ドアポケット４の収納部分を有効に利用できる。これにより、ドアポケット４に細長い物品を収納することが可能である。
【００５４】
また、ユーティリティースタンド５は、レール部４２に沿って摺動可能であるので、ドアポケット４の収納部分を、収納する物品の大きさに合わせた位置に配置し、移動したり、がたついたりしないように物品を保持することが可能である。
【００５５】
図９はユーティリティースタンドの他の使い方について示す図である。ドアポケット４で袋状の物品Ｐｏを収納しないが、仕切りが必要な場合、図９に示すように、第１仕切り板５２１を仕切り位置Ｐ１に、第２仕切り板５２２を待機位置Ｐ２に移動させた状態で用いてもよい。このように用いることで、第１仕切り板５２１と第２仕切り板５２２との隙間がないので、それだけ収納部分を広くすることが可能となる。
【００５６】
上述した、ユーティリティースタンド５において、第１仕切り板５２１及び第２仕切り板５２２は特に決められていないが、物品が滑らないように表面に粗い凹凸が形成されていてもよく、ゴム等による滑り止め手段を取り付けた構成であってもよい。
【００５７】
なお、上述の実施形態では、２段目のドアポケット４Ｂにユーティリティースタンド５が備えられている構成となっているが、これに限定されるものではなく、他のドアポケット（４Ａ、４Ｃ、４Ｄのいずれか、又はすべて）に備えられていてもよい。また、ユーティリティースタンド５の配置場所はドアポケット４に限定されるものではなく、例えば、手前に摺動する箱型の収納室の奥行方向の仕切り等、収納室の他の部分にも利用可能である。さらに、上述の実施形態では、ユーティリティースタンド５が備えられる場所として、冷蔵室１としているが、これに限定されるものではなく、冷凍室や野菜室等、他の収納室に備えられていてもよい。この場合もドアポケットに限られるものではない。
【００５８】
また、上述したユーティリティースタンド５は、仕切り部材５２として、長方形板状の第１仕切り板５２１及び第２仕切り板５２２を採用しているが、３個以上の仕切り板を備える構成であってもよい。また、板状の部材として、多角形状、半円状等、収納領域を適切に仕切ることが可能な形状を有するものを広く採用することができる。また、一部にスリットを備えた柵状や、多角形状、半円状の枠にネットを取り付けた形状等、物品を押さえることができる形状を広く採用することが可能である。さらに、回転軸５３の径方向外側に延びる棒状部分を、１本又は複数本有する構成の部材を備えていてもよい。
【００５９】
以上、本発明の実施形態について説明したが、本発明はこの内容に限定されるものではない。また本発明の実施形態は、発明の趣旨を逸脱しない限り、種々の改変を加えることが可能である。
【産業上の利用可能性】
【００６０】
本発明にかかる、冷却庫は一般家庭に備えられる冷蔵庫として利用可能である。
【符号の説明】
【００６１】
Ａ  冷却庫
１  冷蔵室
２  冷凍室
２０  冷凍室ドア
３  冷蔵室ドア
４  ドアポケット
４０  底板部
４１  周壁部
４２  レール部
５  ユーティリティースタンド
５１  支持部
５１０  連結部
５１１  支持基部
５１２  上側支持部
５１３  支持孔
５１４  上部支持孔
５２  仕切り部材
５２１  第１仕切り板
５２２  第２仕切り板
５２３  係合凹部
５２４  係合凹部
５３  回転軸
５４  係合凸部
５５  凹溝
【図１】
2013079764.tif 000003
【図２】
2013079764.tif 000004
【図３】
2013079764.tif 000005
【図４】
2013079764.tif 000006
【図５】
2013079764.tif 000007
【図６】
2013079764.tif 000008
【図７】
2013079764.tif 000009
【図８Ａ】
2013079764.tif 000010
【図８Ｂ】
2013079764.tif 000011
【図８Ｃ】
2013079764.tif 000012
【図８Ｄ】
2013079764.tif 000013
【図８Ｅ】
2013079764.tif 000014
【図８Ｆ】
2013079764.tif 000015
【図９】
2013079764.tif 000016